(57)【要約】【課題】回転タイプの椅子において、座体及び脚体を相対回転させる際に、過度な回転動作を抑えかつ長期間の使用に耐える滑り部材を備える回転台装置を提供する。【解決手段】座体１に固定するＡ部材３の面上におけるＢ部材４に対面側で、Ａ部材３に固定される中心軸８の周縁部及び中間部にそれぞれ環状凸部６，６’を構成し、この環状凸部６，６’とそれぞれ線接触するための円盤部分とＢ部材４の中心穴に嵌入して中心軸８を回動自在に支えるブッシュ５’部分とを一体構成する炭素繊維強化プラスチック５を用い、該円盤部分を環状凸部６，６’との線接触による滑り効果を損なうことなく平面で固定支持するＢ部材４が、中心軸８から逸脱し所定の回動機能を損なうことのないようになされている。【選択図】図１
2014151095.tif 000002
【特許請求の範囲】
【請求項１】
座体側に固定取付されるＡ部材と脚体側に固定取付されるＢ部材との間に設ける連結部に組み入れられる滑り部材として、炭素繊維複合材料を用いてなることを特徴とする回転椅子の回転台装置。
【請求項２】
請求項１の炭素繊維複合材料が、Ａ部材のＢ部材との対面側でＡ部材面の中央部に固定装着される中心軸の周縁部及び中間部それぞれに構成される環状凸部と、この環状凸部が線接触する平面部分とＡ部材に固定される中心軸を回動自在に挿入するブッシュ部分とを一体構成する炭素繊維強化プラスチックと、このブッシュ部分を中心軸との回動機能を損なうことなく中央部に嵌入し中央部周辺の平面部で該炭素繊維強化プラスチックの平面部分を移動することなく支えてこの外周辺を囲む縁部を構成し、Ａ部材の回動機能を損なうことなく構成されるＢ部材と、からなることを特徴とする請求項１記載の回転椅子の回転台装置。
【発明の詳細な説明】
【技術分野】
【０００１】
本発明は、回転椅子に組み込まれる回転台装置に関するものである。
【背景技術】
【０００２】
従来着座仕様の回転台装置は、座体側に固定されるＡ部材と脚体側に固定されるＢ部材を連結部材により相対回転自在に連結することで構成され、回転性を高めるためにボール等を用いる転動体が該連結部材にくみこまれている。
【０００３】
しかし、回転椅子におけるユーザが座体の向きを変える利便性においては適度な抵抗感覚での回動機能が望ましいものであって、回転台装置において、ちょっと手をかけただけでくるくると回転するような過度ともいえる回転性を該利便性として高めることは望ましいことではなく、時としてユーザの意思感覚に反しての回転動作や不安定な搖動の結果、不測の事故が誘発されるという危険がある。
なお、使用過程における椅子本体には何等不具合がないのに、比較的早期に回転台装置に異音やがたつきなどの不快なトラブルの発生が多い実情がある。
これは、回転台装置に組み込まれているボールなど転動体の潤滑喪失に加えて、質的に係る金属疲労、劣化などによることが原因で、その放置過程においては気付かないうちに乾性の微細摩耗粉末が落下して床面を黒く染めてしまうという不測のトラブルがある。勿論、回転台装置自体は交換可能とされてはいるが、有償でもあり、それよりも該回転台装置の耐用期間が短いというユーザの不満が多いのが実情である。
【先行技術文献】
【特許文献】
【０００４】
【特許文献１】特開２００１-１９７９５３号
【発明の開示】
【発明が解決しようとする課題】
【０００５】
解決しようとする課題は、座体に固定するＡ部材と脚体に固定するＢ部材との連結部材に、優れた機械的特性及び質的特性を併せ持ち滑り効果を有する部材を組み入れることで、適度な滑り回動性を有しかつ長期間の使用に耐える回転台装置を提供することにある。
【課題を解決するための手段】
【０００６】
本発明は、座体に固定するＡ部材の面上におけるＢ部材に対面側で、Ａ部材に固定される中心軸の周縁部及び中間部にそれぞれ環状凸部を構成し、この環状凸部とそれぞれ線接触するための円盤部分とＢ部材の中心穴に嵌入して中心軸を回動自在に支えるブッシュ部分とを一体構成する炭素繊維強化プラスチックを用い、該円盤部分を環状凸部との線接触による滑り効果を損なうことなく平面で固定支持するＢ部材が、中心軸から逸脱し所定の回動機能を損なうことのないようになされていることを最も主要な特徴とする。これにより耐用期間が延長されかつ良好な使用感覚が維持されることでユーザに不満が解消できるという目的を実現した。
【発明の効果】
【０００７】
本発明の回転椅子の回転台装置は、回転台装置における過度の回転動作を避けるため、座体側に固定されるＡ部材と脚体側に固定されるＢ部材との間の設ける連結部に組み込まれる滑り部材として、優れた機械的、質的特性を有する炭素繊維複合材料を用いたことは、機能的に大いに優れている。
【０００８】
請求項２の炭素繊維複合材料に、更に優れた機械的特性及び質的特性を併せ持つ炭素繊維強化プラスチックを用い、Ｂ部材の平面に固定する円盤状炭素繊維強化プラスチックとＡ部材面に構成される複数の環状凸部とを回動機能を損なうことなく線接触可能とし、該特性を介して過度の回転動作を抑え適度な抵抗感覚での滑り回動機能を可能としたことは機能構成に大いに優れている。
【実施例１】
【０００９】
回転椅子の回転台装置において、座体１側に固定されるＡ部材３と脚体２側に固定されるＢ部材４との連結部に組み込まれる滑り部材として炭素繊維強化プラスチック５を採用した本発明の一実施例で、図１は本発明に係る回転台装置の縦断面、図２は図１に示した回転台装置の正面図、図３は図１に示した回転台装置の平面図で、図４は図１に示した回転台装置の底面図である。
以下図面に基づいて詳細に説明する。
【００１０】
本発明の回転椅子の回転台装置における回転台装置は、剛性の金属板を用いてなる平面視略四角形で座体１と脚体２にそれぞれに取付け穴１０を設けるＡ部材３及びＢ部材４を備えている。
【００１１】
Ａ部材３は、中央に中心位置を中心とする円周３’を内縁部として若干深さを有する盆状の平面底を形成し、その中心位置にＢ部材４を回動自在とする中心軸８の一方の端部がローレット３”を介して固定支持されている。
そして、その平面には中心軸８の軸方向の周辺部及び中間部にそれぞれ若干高さを有する環状凸部６，６’が構成されている。なお、この環状凸部６，６’の頂部部分は硬化処理されており、炭素繊維強化プラスチック５との線接触における耐摩耗性及び滑り効果を高めるようになされている。
Ａ部材３に一方の端部を固定される中心軸８のもう一方側を挿入する中心穴に炭素繊維強化プラスチック５で形成するブッシュ５’部分を嵌入して該中心軸８が回動自在であるようにするＢ部材４は、このブッシュ５’部分と一体構成でＡ部材３の平面部に構成される環状凸部６，６’の頂部と線接触する該炭素繊維強化プラスチック５の円盤平面部分の外周囲を若干高さを有して囲む縁部７を構成し、環状凸部６，６’との線接触動作が損なわれることのないようにＢ部材４の平面上に固定装着されている。
なお、ブッシュ５’部を介してＢ部材４と組み合う中心軸８は、Ａ部材３とＢ部材４における所定の滑り回動を妨げることのないように若干の間隙余裕を有し、平座金９を介して端部にかしめ部８’を構成することでＢ部材４の逸脱防止がなされているものである。
【００１２】
このようになっていると、優れた機械的特性及び質的特性を併せ持ち滑り効果を有する炭素繊維強化プラスチック部材を組み入れることで、過度な回転動作を抑えかつ長期間の使用に耐える回転椅子の回転台装置を提供可能とすることで、ボールなど転動体の劣化等に係る回転椅子周辺の汚染トラブルを未然に回避することができるものである。
【産業上の利用可能性】
【００１３】
回転椅子の回転台装置は、適宜な回動動作必要とする手段において、通常の生活環境はは勿論医療、介護などの多方面の用途にも応用利用が期待できるものである。
【図面の簡単な説明】
【００１４】
【図１】本発明に係る回転台装置の縦断面図である。（実施例１）
【図２】図１に示した回転台装置の正面図である。（実施例１）
【図３】図１に示した回転台装置の平面図である。（実施例１）
【図４】図１に示した回転台装置の底面図である。（実施例１）
【符号の説明】
【００１５】
１    座体
２    脚体
３    Ａ部材
３’  円周
３”  ローレット
４    Ｂ部材
５    炭素繊維強化プラスチック
５’  ブッシュ
６、６’  環状凸部
７    縁部
８    中心軸
８’  かしめ部
９    平座金
１０  取付け穴
【図１】
2014151095.tif 000003
【図２】
2014151095.tif 000004
【図３】
2014151095.tif 000005
【図４】
2014151095.tif 000006